(57)【特許請求の範囲】
【請求項１】
前面に開口部を有する貯蔵室と、貯蔵物を収納するとともに前後にスライド自在に支持される収納ケースと、前記収納ケース内を照明する照明装置と、を備えた冷蔵庫であって、
前記貯蔵室の上壁に配される天井板を備え、
前記天井板は前記照明装置からの照明光を導光する導光板であるとともに、前記導光板の前端に斜め下方に向けて導光を出射させる傾斜面を有し、
前記導光板の下面に前後方向に伸びる複数の溝を設け、前記溝が前記傾斜面の下端まで延びて形成され、
前記照明装置は前記貯蔵室の後壁の上部に配されるとともに、前記導光板の後部に向かって照明光を出射することを特徴とする冷蔵庫
【請求項２】
前記照明装置がＬＥＤから成ることを特徴とする請求項１に記載の冷蔵庫。
【請求項３】
前記天井板が前記貯蔵室の上壁の前部から後部に渡って配されることを特徴とする請求項１又は２に記載の冷蔵庫。
【発明の詳細な説明】
【技術分野】
【０００１】
本発明は、収納ケースを備えた冷蔵庫に関する。
【背景技術】
【０００２】
従来の冷蔵庫は扉により前面が開閉される複数の貯蔵室を備えている。貯蔵室の種類としては冷蔵保存する冷蔵室、冷凍保存する冷凍室、冷蔵室よりも高い温度で冷蔵保存する野菜室が備えられる。そして、野菜室には前後にスライドして扉と一体的に出し入れされる収納ケースが設けられ、この収納ケース内に貯蔵物として野菜などを収納する。
【０００３】
特許文献１及び２に記載された冷蔵庫は引き出し式の収納ケースが野菜室の内部に設けられている。野菜室の上部には照明装置が配される。収納ケースを引き出すと、照明装置によって収納ケース内が照明され、貯蔵物を視認できるようになっている。
【先行技術文献】
【特許文献】
【０００４】
【特許文献１】特開２００２−２６７３４８号公報
【特許文献２】特開２００６−１３２８７７号公報
【発明の概要】
【発明が解決しようとする課題】
【０００５】
しかし、特許文献１及び２の冷蔵庫によると、暗い室内で収納ケースを大きく引き出すと、照明装置によって野菜室内が照明されているため収納ケース内の貯蔵物の視認性が悪くなるという問題があった。
【０００６】
本発明は、収納ケース内の貯蔵物の視認性を向上する冷蔵庫を提供することを目的とする。
【課題を解決するための手段】
【０００７】
上記目的を達成するために本発明は、前面に開口部を有する貯蔵室と、貯蔵物を収納するとともに前後にスライド自在に支持される収納ケースと、前記収納ケース内を照明する照明装置と、を備えた冷蔵庫であって、前記貯蔵室の上壁に配される反射又は導光する天井板を備え、前記照明装置は前記貯蔵室の後壁の上部に配されるとともに、前記天井板に向けて照明光を出射することを特徴とする。
【０００８】
この構成によると、貯蔵物を収納した収納ケースは前後にスライド移動する。照明装置は貯蔵室の後壁の上部に配され、天井板を反射した光または導光して出射された光によって収納ケース内を照明する。
【０００９】
また本発明は、前記天井板は前記照明装置からの照明光を反射する反射板であるとともに、下面の反射面が下方に凸となるように湾曲している。この構成によると、照明装置は反射光を介して収納ケース内を照明する。
【００１０】
また本発明は、前記天井板は前記照明装置からの照明光を導光する導光板であるとともに、前後方向に伸びる複数の溝を設け、前記照明装置は前記導光板の後部に向かって照明光を出射していることを特徴とする。この構成によると、照明装置は導光板の導光を介して収納ケース内を照明する。
【００１１】
また本発明は、前記導光板の前端に斜め下方に向けて導光を出射させる傾斜面を設けたことを特徴とする。この構成によると、照明装置は傾斜面を介して収納ケース内を照明する。
【００１２】
また本発明は、前記天井板が前記貯蔵室の上壁の前部から後部に渡って配されることを特徴とする。
【発明の効果】
【００１３】
本発明によると、収納ケース内の貯蔵物の視認性を向上することができる。
【図面の簡単な説明】
【００１４】
【図１】本発明の第１実施形態の冷蔵庫を示す側面断面図
【図２】本発明の第１実施形態の野菜室を示す側面断面図
【図３】本発明の第１実施形態の反射板を示す正面図
【図４】本発明の第２実施形態の野菜室を示す側面断面図
【図５】本発明の第２実施形態の導光板を示す斜視図
【発明を実施するための形態】
【００１５】
以下に本発明の実施形態を図面を参照して説明する。図１は本実施形態の冷蔵庫を示す側面断面図である。冷蔵庫１は本体部を形成する断熱箱体２を備え、断熱箱体２には上方から順に冷蔵室３、冷凍室４、野菜室５が設けられる。冷蔵室３と冷凍室４とは断熱壁６によって仕切られ、冷凍室４と野菜室５とは断熱壁７によって仕切られる。
【００１６】
冷蔵室３は貯蔵物を冷蔵保存し、前面の開口部３ａは回動式の扉３ｂにより開閉される。冷凍室４は貯蔵物を冷凍保存し、前面の開口部４ａは収納ケース８と一体に形成された引き出し式の扉４ｂにより開閉される。冷凍室４の側壁及び収納ケース８の側壁の外面には前後に延びて互いに摺動する案内部（不図示）が設けられる。案内部によって冷蔵収納ケース８が扉４ｂとともに前後に円滑に出し入れされる。
【００１７】
野菜室５は貯蔵物を冷蔵室３よりも高温の冷蔵温度で冷蔵保存し、野菜や果物などを収納する。野菜室５の前面の開口部５ａは収納ケース１０と一体に形成された引き出し式の扉５ｂにより開閉される。野菜室５の側壁及び収納ケース１０の側壁の外側には前後に延びて互いに摺動する案内部（不図示）が設けられる。案内部によって収納ケース１０が扉５ｂとともに前後に円滑に出し入れされる。
【００１８】
図２は野菜室５（貯蔵室）を示す側面断面図である。収納ケース１０は上面を開口した樹脂成型品から成り、断熱材を充填した扉５ｂ（図１参照）の背面に取り付けられる。収納ケース１０の上面には果物等の小物の貯蔵物を収納する小物ケース１１が載置される。
【００１９】
野菜室５の後壁の上部５ｃには収納ケース１０内を照明する照明装置３０が設けられる。照明装置３０はＬＥＤホルダ（不図示）に取り付けられたＬＥＤ（不図示）が設けられる。照明装置３０は天井板を構成する反射板４０に向けて照明光Ｓを出射するように配される。
【００２０】
図３は反射板４０の正面図を示している。反射板４０はアルミニウム等により形成され、照明光Ｓを反射する。また、反射板４０は野菜室５の上壁の前部から後部に渡って配さ、反射面４０ａが下方に凸となるように湾曲する。これにより、照明光Ｓが左右方向に拡散して野菜室５内及び野菜室５の前方に反射される。
【００２１】
上記構成の冷蔵庫１において、小物ケース１１と一体に収納ケース１０を前方に引き出されると照明装置３０が点灯される。これにより、照明装置３０から出射された照明光Ｓは反射板４０で反射し、野菜室５内及び野菜室５の前方に向けて照射される。このため、暗い室内でも前方に引き出した収納ケース１０及び小物ケース１１内を良好に照明することができる。また、収納ケース１０の引出量が小さいときは小物ケース１１の後部を良好に照明することができる。
【００２２】
本実施形態によると、冷蔵庫１は天井板を構成する反射板４０を備え、照明装置３０は野菜室５の後壁の上部５ｃに配されるとともに、反射板４０に向けて照明光Ｓを出射する。これにより、暗い暗室でも収納ケース１０内の貯蔵物の視認性を向上することができる。
【００２３】
また、反射板４０が野菜室５の上壁の前部から後部に渡って配されるため、収納ケース１０の引出量が小さい時でも大きい時でも、収納ケース１０内を良好に照明できる。
【００２４】
（第２実施形態）
次に、図４は第２実施形態の冷蔵庫１の野菜室５の側面断面図を示している。説明の便宜上、図１〜図３に示す第１実施形態と同様の部分には同一の符号を付している。
【００２５】
野菜室５の後壁の上部５ｃには収納ケース１０内を照明する照明装置３０が設けられる。照明装置３０は天井板を構成する導光板４１の後部の入射面４１ｃに向けて照明光Ｓを出射する。
【００２６】
図５は導光板４１の斜視図である。導光板４１は透明なアクリル等の樹脂やガラスにより形成され、下面には前後方向に伸びるＶ字状の複数の溝４１ａを設けている。導光板４１は野菜室５の上壁の前部から後部に渡って配される。導光板４１の前端には傾斜面４１ｂが形成される。傾斜面４１ｂによって導光板４１の導光が前端から斜め前方に向けて出射される。傾斜面４１ｂに反射膜を形成してもよい。
【００２７】
本実施形態によると、冷蔵庫１は天井板を構成する導光板４１を備え、照明装置３０は野菜室５の後壁の上部５ｃに配されるとともに、導光板４１に向けて照明光Ｓを出射する。これにより、暗い暗室でも収納ケース１０内の貯蔵物の視認性を向上することができる
【００２８】
照明光Ｓは導光板４１の入射面４１ｃから入射し、下面の溝部４１ａの壁面及び上面で反射しながら導光する。この時、導光板４１を導光して溝部４１ａの壁面に臨界角よりも小さい入射角で入射した光が下方に出射される。これにより、野菜室５内に向けて照明光Ｓが照射される。
【００２９】
また、導光板４１の前端に配した傾斜面４１ｂで反射した光は斜め前方に出射される。これにより、引き出された収納ケース１０内に照明光Ｓが照射される。
【００３０】
また、導光板４１には前後方向に伸びるＶ字状の複数の溝４１ａを設けている。これにより、導光板４１の下面に臨界角よりも小さい入射角で入射する光が増え、下方の野菜室５内に出射されて照明光Ｓを増やすことができる。これにより収納ケース１０の引出量が小さい時に小物ケース１１の後部を良好に照明することができる。
【００３１】
また、導光板４１の前端に斜め下方に向けて導光を出射させる傾斜面４１ｂを設けたため、前方に引き出された収納ケース１０内を良好に照明することができる。
【産業上の利用可能性】
【００３２】
本発明によると、スライド移動する収納ケースを備えた冷蔵庫に利用することができる。
【符号の説明】
【００３３】
１    冷蔵庫
３    冷蔵室
４    冷凍室
５    野菜室（貯蔵室）
１０  収納ケース
１１  野菜ケース
４０  反射板（天井板）
４１  導光板（天井板）
【図１】
0005869787.tif 000002
【図２】
0005869787.tif 000003
【図３】
0005869787.tif 000004
【図４】
0005869787.tif 000005
【図５】
0005869787.tif 000006